(57)【特許請求の範囲】
【請求項１】
ボルトと、
該ボルトに螺合し、且つ座面に座部が形成された座付ナットと、
座金と、
前記ボルトに螺合させた前記座付ナットの外周を覆うボルトキャップと、を具備する遊具の取付部材であって、
前記ボルトキャップは、
前記座付ナットの座面が当接する底部と、該底部の周囲側面から上方にかけて曲線状に形成され、座付ナットが露出するように上面に開口部が形成された壁面部とを有する台座部と、
前記台座部の開口部を閉塞する蓋体部とを有しており、
前記台座部は、
前記底部に、前記座付ナットの座部が収納可能な径であって且つ前記ボルトが貫通できる座部収納穴が形成され、前記座付ナットが配置される側と反対側の面には、前記座金を収納する凹部が形成されていることを特徴とする遊具の取付部材。
【発明の詳細な説明】
【技術分野】
【０００１】
本発明は、公園に設置される遊具に用いられる取付部品に関する。
【背景技術】
【０００２】
公園には、滑り台やブランコなどの遊具が設置され、子供達がこれらの遊具で遊ぶことができるようになっている。
公園に設置される遊具は、特に子供達の安全に配慮した構成にしなくてはならず、一般社団法人日本公園施設業協会では、遊具の安全に関する規準を作成して遊具が安全規準を満たすように啓蒙している。
【０００３】
また、遊具の組み立てにはボルト及びナットが用いられることが多いが、ボルトやナットが遊具から突出していると、衝突の危険性があるため好ましくない。
【０００４】
そこで、特許文献１から特許文献３に示されるように、遊具を連結する部材においてナットが収納されるように構成することで、ナットが直接触れることができないような技術が提案されている。
【０００５】
しかし、このような連結部材を使用することができない箇所においては、図５に示すように、ナットが収納できる樹脂製のボルトキャップ１０を用いて、ナット１３が露出しないようにしている。
【先行技術文献】
【特許文献】
【０００６】
【特許文献１】実用新案登録第３０９５９２３号公報
【特許文献２】特開２００７−１２７２０４号公報
【特許文献３】特開２００９−２５０３０２号公報
【発明の開示】
【発明が解決しようとする課題】
【０００７】
図５に示されるような樹脂製のボルトキャップを採用する場合、次のような課題がある。
すなわち、ボルトキャップ１０は、ボルト９を貫通する貫通穴１１が、底面部１２に形成されている。ナット１３を締めつけるとナット１３が底面部１２に食い込んでいき、底面部１２が潰れたり、また破損するおそれがあったり、適切な締め付けトルクが得られないといった課題がある。
【０００８】
そこで本発明は上記課題を解決すべくなされ、その目的とするところは、ボルトキャップの潰れや破損を防止でき、且つボルト及びナットに適切な締め付けトルクを加えることができる遊具の取付部品を提供することにある。
【課題を解決するための手段】
【０００９】
本発明にかかる遊具の取付部品によれば、ボルトと、該ボルトに螺合し、且つ座面に座部が形成された座付ナットと、座金と、前記ボルトに螺合させた前記座付ナットの外周を覆うボルトキャップと、を具備する遊具の取付部材であって、前記ボルトキャップは、前記座付ナットの座面が当接する底部と、該底部の周囲側面から上方にかけて曲線状に形成され、座付ナットが露出するように上面に開口部が形成された壁面部とを有する台座部と、前記台座部の開口部を閉塞する蓋体部とを有しており、前記台座部は、前記底部に、前記座付ナットの座部が収納可能な径であって且つ前記ボルトが貫通できる座部収納穴が形成され、前記座付ナットが配置される側と反対側の面には、前記座金を収納する凹部が形成されていることを特徴としている。
この構成を採用することによって、座付ナットの座部が座部収納穴に収納され、座付ナットの座面は、座部収納穴の周囲の台座部の底部を押圧しながら座金に直接当接するので、座部の厚さ以上に台座部の底部が押しつぶされることが無く、ボルトキャップの潰れや欠けを確実に防止でき、且つボルト及びナットに適切な締め付けトルクを加えることができる。
なお、座付ナットの座部と座金との間において、座付ナットの締め付け前は互いに当接していなくてもよく、この場合には、座付ナットを締めつけていくにしたがってボルトキャップの底部が圧縮して座付ナットと座金とが当接するようになる。
【発明の効果】
【００１０】
本発明にかかる遊具の取付部材によれば、ボルトキャップの潰れや欠けを防止することができ、且つボルト及びナットに適切な締め付けトルクを加えることができる。
【図面の簡単な説明】
【００１１】
【図１】本発明に係る遊具の取付部材の立面正面図である。
【図２】座付ナットの側面図である。
【図３】座付ナットの底面図である。
【図４】取り付け部分の分解構成図である。
【図５】従来のボルトキャップの立面正面図である。
【発明を実施するための形態】
【００１２】
本発明にかかる遊具の取付部材について、図面に基づいて説明する。
ここでいう遊具は、公園、幼稚園、保育園、学校などに設置されるものであり、例えばすべり台、ブランコ、ジャングルジム、シーソー、雲梯、鉄棒、その他これらの遊具を組み合わせた大型の遊具など様々なものがある。
【００１３】
遊具の組み付けには一般的にはボルト及びナットが使用されることが多いが、ボルトやナットが露出していると、子供達が触れるおそれがある。そこで、従来の技術でも説明したように、ボルト頭部若しくはナットが完全に凹部内に収納されて触れることができないようにするか、又はボルトキャップをボルト頭部若しくはナットに装着する必要がある。
【００１４】
図１は、遊具の取付部材の立面正面図である。
本実施形態の取付部材は、取付部材３０は、ボルト５０と、ボルト５０に螺着可能な座付ナット５２と、ボルトキャップ４０とを備えている。
ボルトキャップ４０は、全体が樹脂製で形成されている。ボルトキャップ４０は、台座部４１と、蓋体部４８とを有している。
【００１５】
さらにボルトキャップ４０の台座部４１は、遊具の取付面に平行な底部４２と、底部４２の上方をほぼ半球状に覆う壁面部４４とを備えている。壁面部４４の上面は、座付ナット５２を台座部４１内に収納させるための開口部４６が形成されている。この開口部４６に蓋体部４８が装着されて、座付ナット５２が露出しないように閉塞される。
【００１６】
ボルトキャップ４０は、樹脂製であり、底部４２と壁面部４４とは一体に形成されている。
ボルトキャップ４０の壁面部４４は、外形が半球状であり、底部４２の外周端部から上方に向けて円弧状に形成され、その上面に上述するような平面視円形の開口部４６が形成されている。開口部４６は座付ナット５２が収納できる程度の径を有している。
【００１７】
図２及び図３に示すように、本実施形態におけるナットは、座部５４が形成された座付ナット５２を採用している。この座付ナット５２としては、ＪＩＳＢ１１８１に規定されたナットを採用することができる。
座部５４は、座付ナット５２の座面５２ａから締め付け方向（図面上では下方）に突出する部位である。座部５４の形状としては、座面５２ａ方向から見ると円形であり、座部５４の厚さとしては、１ｍｍ程度である。
【００１８】
ボルトキャップ４０の底部４２には、座付ナット５２の座部５４が収納可能な径の座部収納穴４９が形成されている。座部収納穴４９には、座付ナット５２の座部が収納されるとともにボルト５０が貫通する。そして、ボルト５０と座付ナット５２とが螺合する。
【００１９】
また、台座部４１の底部４２の遊具の取付面側（座付ナット５２が収納される反対側）の面には、座金６８が収納される凹部４７が形成されている。凹部４７と座部収納穴４９は連通している。凹部４７の方が座部収納穴４９よりも大径である。
凹部４７の凹みの深さは、収納する座金６８の厚さとほぼ同じ長さとなるように設けられている。したがって、凹部４７に座金６８を収納すると、座金６８の底面が底部４２の遊具の取付面側と同一平面となる。
【００２０】
座付ナット５２を、ボルトキャップ４０内の底部４２に配置すると、座部５４が座部収納穴４９内に収納され、座部５４の周囲の座面５２ａが底部４２の座部収納穴４９の周囲の上面に当接する。また、座金６８には穴６８ａが形成されているので、ボルト５０は座金６８の穴６８ａも貫通する。
この状態で、座付きナット５２をボルト５０に締め付けていくと、座部５４は凹部４７内の座金６８に当接する。そして座部５４の周囲の座面５２ａは、底部４２の座部収納穴４９の周囲を座金６８との間で挟み込む。このとき、座部５４と座金６８とは当接しているので、座部５４の厚さ分までは底部４２が圧縮されるが、破損するまでは圧縮されることはない。このため、座付ナット５２の締め付けによるボルトキャップ４０にかかる力を低減してボルトキャップ４０の潰れや欠けを防止できる。また、ボルト５０と座付ナット５２に適切な締め付けトルクを加えることができる。
【００２１】
図４に、遊具の取付部材と、遊具の取り付け部分の分解構成図を示す。
ここでは遊具の2か所の取り付け部分６０、６２を、ボルト５０と座付ナット５２によって固定する例について示している。座付ナット５２は、座面５２ａに座部５４が形成されている。
遊具の取り付け部分６０、６２にはそれぞれボルト挿入孔６３、６４が形成されており、ボルト挿入孔６３、６４に１本のボルト５０が挿入されて、座付ナット５２がボルト５０に螺合して、取り付け部分６０と６２が固定される。
【００２２】
また、座付ナット５２が遊具の表面に直接露出しないように、座付ナット５２はボルトキャップ４０内に収納され、開口部４６は蓋体部４８によって閉塞され、安全性を図ることができる。
【符号の説明】
【００２３】
３０    取付部材
４０    ボルトキャップ
４１    台座部
４２    底部
４４    壁面部
４６    開口部
４７    凹部
４８    蓋体部
４９    座部収納穴
５０    ボルト
５２    座付ナット
５２ａ  座面
５４    座部
６０、６２      取り付け部分
６３、６４      ボルト挿入孔
６６、６８      座金
６８ａ  穴
【図１】
0006284909.tif 000002
【図２】
0006284909.tif 000003
【図３】
0006284909.tif 000004
【図４】
0006284909.tif 000005
【図５】
0006284909.tif 000006